(57)【要約】【課題】紙葉類処理装置において、リジェクト券の確認作業を効率的に行う。【解決手段】リジェクト紙幣収納部１８５における複数種類の紙幣画像５３１と識別結果とを関連付けて表示部１３０に一覧表示させ、一覧表示された複数種類の紙幣画像５３１と識別結果とを、複数種類の紙幣画像５３１の中から所定の画像種別（５２２〜５２６）を選択することにより画像種別（５２２〜５２６）ごとに切り替えて表示する。【選択図】図４
2020047217.tif 000002
【特許請求の範囲】
【請求項１】
積層された紙幣を一枚ずつ分離し取り込む取込部と、
前記取込部から取り込まれた前記紙幣を識別して複数種類の紙幣画像と識別結果を取得する識別部と、
前記識別部で識別された正常紙幣を収納するための正常紙幣収納部と、
前記識別部で識別されたリジェクト紙幣を収納するリジェクト紙幣収納部と、
前記紙幣の情報を表示する表示部と、
前記識別部で識別された紙幣を振り分けて前記正常紙幣収納部と前記リジェクト紙幣収納部にそれぞれ搬送する制御部と、を有し、
前記制御部は、
少なくとも前記リジェクト紙幣収納部における複数種類の前記紙幣画像と前記識別結果とを関連付けて前記表示部に一覧表示させ、
前記複数種類の前記紙幣画像と前記識別結果とが一覧表示された画面において、複数種類の前記紙幣画像の中から所定の画像種別を選択することにより前記画像種別ごとに前記紙幣画像を切り替えて表示することを特徴とする紙葉類処理装置。
【請求項２】
前記識別部は、
複数種類の前記紙幣画像として、可視画像、赤外線画像、紫外線画像、透過画像及び磁気分布画像を取得し、
前記制御部は、
前記可視画像、前記赤外線画像、前記紫外線画像、前記透過画像及び前記磁気分布画像の中から前記所定の画像種別を選択することにより前記画像種別ごとに切り替えて表示することを特徴とする請求項１に記載の紙葉類処理装置。
【請求項３】
前記表示部は、
前記紙幣画像の前記画像種別を変更するための複数の画像種別選択ボタンを表示し、
前記制御部は、
複数の前記画像種別選択ボタンの内の所定の画像種別選択ボタンの押下に応答して、複数種類の前記紙幣画像の中から前記所定の画像種別選択ボタンに対応した前記画像種別の紙幣画像を表示することを特徴とする請求項１に記載の紙葉類処理装置。
【請求項４】
前記表示部は、前記識別部で識別された前記リジェクト紙幣のリジェクト要因または金種を設定する設定ボタンを更に表示し、
前記制御部は、
前記設定ボタンの押下に応答して、前記リジェクト紙幣収納部における複数種類の前記紙幣画像と前記識別結果とを関連付けて前記表示部に一覧表示させる画面を、設定した前記リジェクト要因または前記金種に対応する前記紙幣画像と前記識別結果とを関連付けて前記表示部に表示する画面に切り替えることを特徴とする請求項１に記載の紙葉類処理装置。
【請求項５】
前記設定ボタンは、
前記リジェクト要因として、可視画像の異常、赤外線画像の異常、紫外線画像の異常、透過画像の異常及び磁気分布画像の異常を含むリジェクト要因または前記金種のいずれか一つ、或いは前記リジェクト要因または前記金種を組み合わせた二つ以上を選択可能に構成されていることを特徴とする請求項４に記載の紙葉類処理装置。
【請求項６】
前記制御部は、
前記紙幣画像に並列してサンプル紙幣画像を表示し、
前記紙幣画像のコントラストを調整可能であり、
前記設定ボタンは、一画面に表示する紙幣枚数を設定可能な機能を有し、前記一画面に表示する紙幣枚数を任意に設定でき、
全ての前記紙幣画像を前記一画面に表示できない場合は、画面スクロールすることで枠外の紙幣を閲覧可能に構成されていることを特徴とする請求項４に記載の紙葉類処理装置。
【請求項７】
前記紙幣の情報を記憶する記憶部を更に有し、
前記表示部は、
ブラックリスト登録ボタンを更に表示し、
前記制御部は、
前記ブラックリスト登録ボタンの押下に応答して、前記識別結果を前記記憶部に格納し、
前記紙幣を搬送する際に、前記記憶部に格納された前記識別結果を参照して、ブラックリスト紙幣として前記紙幣を振り分けることを特徴とする請求項１に記載の紙葉類処理装置。
【請求項８】
前記表示部は、
専用搬送モードを設定する専用搬送モードボタンを更に表示し、
前記制御部は、
前記専用搬送モードにおいて、前記識別部で識別された複数種類の前記リジェクト紙幣を、リジェクト要因別に設定した前記正常紙幣収納部及び前記リジェクト紙幣収納部に振り分けて再搬送することにより、複数種類の前記リジェクト紙幣の中から前記リジェクト要因に対応した前記リジェクト紙幣を特定し、
前記専用搬送モードボタンの押下に応答して、前記リジェクト紙幣収納部における複数種類の前記紙幣画像と前記識別結果とを関連付けて一覧表示させる画面を、前記専用搬送モードを実行するための画面に切り替えることを特徴とする請求項１に記載の紙葉類処理装置。
【請求項９】
前記制御部は、
前記専用搬送モードにおいて、前記リジェクト要因として、可視画像の異常、赤外線画像の異常、紫外線画像の異常、透過画像の異常及び磁気分布画像の異常を含むいずれかを設定することを特徴とする請求項８に記載の紙葉類処理装置。
【請求項１０】
前記制御部は、
前記専用搬送モードを実行するための画面上で前記リジェクト要因別に設定した前記正常紙幣収納部又は前記リジェクト紙幣収納部を選択することにより、前記専用搬送モードを実行するための画面を、前記リジェクト紙幣の前記リジェクト要因に対応する前記紙幣画像と前記識別結果とを関連付けて表示する画面に切り替えることを特徴とする請求項９に記載の紙葉類処理装置。
【発明の詳細な説明】
【技術分野】
【０００１】
本発明は、紙葉類処理装置に関する。
【背景技術】
【０００２】
紙幣還流のための現金精査を行う装置として、紙葉類処理装置が用いられている。紙葉類処理装置を用いて行われる現金精査処理としては、枚数確認のための計数処理、偽券を検出し仕分けるための真偽判定処理、正券と損券とを仕分けるための正損分離処理、紙幣を纏まった枚数に束ね管理するための帯封処理等がある。
【０００３】
特に、真偽判定処理において、偽券は真券に見えるように偽装されるものである。このため、紙葉類処理装置によって偽券と判断された疑わしき紙幣である疑券に対しての真偽の最終的な判断には、オペレータの手作業を伴う確認が必要である。このため、オペレータによる現金精査には、所定の作業負荷及び作業時間が必要となる。
【０００４】
オペレータによる現金精査を容易にするために、特許文献１では、紙葉類処理装置に取り込んだ紙幣の複数種類の画像を画面上に表示してオペレータに確認させている。
【先行技術文献】
【特許文献】
【０００５】
【特許文献１】特開２０１４−１７８９４８号公報（特許第６１７５２５５号）
【発明の概要】
【発明が解決しようとする課題】
【０００６】
しかしながら、特許文献１では、紙葉類処理装置によって偽券と判定され排除された紙幣であるリジェクト券が多数発生した場合、画面上で紙幣１枚１枚の画像を切り替えて確認する必要がある。このため、リジェクト券の確認作業に時間を要し作業効率が低下する。
【０００７】
本発明の目的は、紙葉類処理装置において、リジェクト券の確認作業を効率的に行うことにある。
【課題を解決するための手段】
【０００８】
本発明の一態様の紙葉類処理装置は、積層された紙幣を一枚ずつ分離し取り込む取込部と、前記取込部から取り込まれた前記紙幣を識別して複数種類の紙幣画像と識別結果を取得する識別部と、前記識別部で識別された正常紙幣を収納するための正常紙幣収納部と、前記識別部で識別されたリジェクト紙幣を収納するリジェクト紙幣収納部と、前記紙幣の情報を表示する表示部と、前記識別部で識別された紙幣を振り分けて前記正常紙幣収納部と前記リジェクト紙幣収納部にそれぞれ搬送する制御部とを有し、前記制御部は、少なくとも前記リジェクト紙幣収納部における複数種類の前記紙幣画像と前記識別結果とを関連付けて前記表示部に一覧表示させ、前記複数種類の前記紙幣画像と前記識別結果とが一覧表示された画面において、複数種類の前記紙幣画像の中から所定の画像種別を選択することにより前記画像種別ごとに前記紙幣画像を切り替えて表示することを特徴とする。
【発明の効果】
【０００９】
本発明の一態様によれば、紙葉類処理装置において、リジェクト券の確認作業を効率的に行うことができる。
【図面の簡単な説明】
【００１０】
【図１】実施例１の紙葉類処理装置の制御ブロック図である。
【図２】紙葉類処理装置の概略構成図である。
【図３】識別結果累計画面を示す図である。
【図４】紙幣一覧表示画面（可視、９枚）を示す図である。
【図５】紙幣一覧表示画面（可視、１６枚）を示す図である。
【図６】紙幣一覧表示画面（詳細表示）を示す図である。
【図７】紙幣一覧表示画面（ＩＲ）を示す図である。
【図８】紙幣一覧表示画面（ＵＶ）を示す図である。
【図９】紙幣一覧表示画面（透過）を示す図である。
【図１０】紙幣一覧表示画面（磁気）を示す図である。
【図１１】紙幣一覧表示画面（金種別）を示す図である。
【図１２】紙幣一覧表示画面（要因別）を示す図である。
【図１３】紙幣詳細表示画面（可視・表）を示す図である。
【図１４】紙幣詳細表示画面（ＵＶ）を示す図である。
【図１５】紙幣詳細表示画面（可視・裏を示す図である。）
【図１６】実施例２の専用搬送モード準備画面（ガイダンス）を示す図である。
【図１７】専用搬送モード準備画面（収納部設定）を示す図である。
【図１８】専用搬送モード搬送結果（説明画面１）を示す図である。
【図１９】専用搬送モード搬送結果（説明画面２）を示す図である。
【図２０】専用搬送モード搬送結果（Ｐ１／一覧表示画面）を示す図である。
【図２１】専用搬送モード搬送結果（Ｐ１／詳細表示画面）を示す図である。
【図２２】専用搬送モード搬送結果（説明画面３）を示す図である。
【図２３】専用搬送モード搬送結果（説明画面４）を示す図である。
【発明を実施するための形態】
【００１１】
以下、図面を用いて実施例について説明する。
【実施例１】
【００１２】
まず、図１を参照して、実施例１の紙葉類処理装置の制御について説明する。
紙葉類処理装置２００（図２参照）は、装置内の各部を制御する主制御部１００、主制御部１００の動作プログラム等を記録したＲＯＭ１１０、主制御部１００が各部を制御する制御データを読み書き可能に記録するＲＡＭ１２０、オペレータの入力操作を受け付け画像情報及び識別結果等を表示する表示操作部１３０、外部機器と情報の送受信を行う通信部１４０、紙幣の画像情報及び通貨種別（国）、金種、新旧（版数）の情報および損券又は偽券と判定する原因となった判定情報を含む識別結果を取得する識別部１５０及び識別部１５０で取得した画像情報及び識別結果を格納する記憶部１６０を備える。
【００１３】
識別部１５０は、取り込んだ紙幣の画像情報及び識別結果を主制御部１００に出力する。主制御部１００は、取り込んだ紙幣ごとに画像情報及び識別結果を紐付けして記憶部１６０に格納すると共に、識別部１５０から受け取った画像情報、識別結果に基づき搬送先を紙幣ごとに決定し、紙幣が所定の収納部１８０へ搬送されるよう振分ゲート１７０を制御する。
【００１４】
次に、図２を参照して、紙葉類処理装置２００の物理的構成と紙幣搬送時の動作について説明する。
紙葉類処理装置２００は、積層された紙幣を一枚ずつ分離し取り込む取込部２１０と、取込部２１０から取り込まれた紙幣の画像情報及び識別結果を取得する識別部１５０と、識別部１５０にて取得した画像情報及び識別結果を元に収納部１８１〜１８６いずれかへの搬送が決定した紙幣を収納部１８１〜１８６いずれかへ搬送するための振分ゲート１７０と、搬送されてきた紙幣を収納する収納部１８１〜１８６とを有する。
【００１５】
紙葉類処理装置２００は、主制御部１００からの入力信号により図示しない駆動源の動作を開始し、取り込みローラ２１１を回転させ、取込部１１０上に積層された紙幣を一枚ずつ分離しながら紙葉類処理装置２００の内部への取り込みを開始する。取り込んだ紙幣は、搬送路２２０に沿って搬送される。取込部２１０は開口しており、セットした紙幣の上に紙幣を積み増し可能な構造となっている。
【００１６】
識別部１５０は、搬送路２２０上に設置される。識別部１５０は、その内部に構成される光源１５１、イメージセンサ１５２、枚数検出センサ１５３、磁気センサ１５４を動作することで、搬送されてきた紙幣の紙幣画像、枚数、磁気分布等の情報を取得することができる。光源１５１は、可視光の他に赤外光、紫外光を照射することができ、可視画像に加え赤外画像（ＩＲ画像）、紫外画像（ＵＶ画像）、そして可視光を照射側と反対側に透過させ撮像した透過画像を取得することができる。
【００１７】
紙葉類処理装置２００は、これらの画像情報から抽出した記番号、通貨種別（国）、金種、新旧（版数）、偽造防止技術が施された特徴部位の確からしさ等を判定情報として、予め設定された損券または偽券の判定閾値と比較することで紙幣の真偽判定と正損判定を行う。そして、紙葉類処理装置２００は、上述した判定情報と真偽判定結果、正損判定結果とを含んだ情報を識別結果として、識別部１５０にて取得した画像情報と識別結果とを、搬送中の紙幣１枚ごとに紐付けた状態で記憶部１６０に格納する。
【００１８】
紙葉類処理装置２００は、識別部１５０を通過した紙幣の画像情報と識別結果とに基づき、搬送先を紙幣ごとに決定し、紙幣が所定の収納部１８１〜１８６のいずれかへ搬送されるよう振分ゲート１７０を制御する。紙幣は、振分ゲート１７０の動作による所定の搬送路２２０に沿って、所定の収納部１８１〜１８６のいずれかへ搬送される。収納部１８１〜１８６は羽根車２８１〜２８６を有しており、収納部１８１〜１８６のいずれかへ搬送された紙幣は、羽根車２８１〜２８６いずれかの一対の羽根に挟まれた状態となる。この状態で搬送された勢いで羽根車２８１〜２８６のいずれかを時計回りに回転させ、底板３８１〜３８４または側壁３８５〜３８６付近まで移動する。
【００１９】
紙幣は、底板３８１〜３８４または側壁３８５〜３８６付近で、羽根車２８１〜２８６いずれかの回転の遠心力により挟まれた一対の羽根から分離することで、収納部１８１〜１８６に投げ出される状態よりも整列した状態で底板３８１〜３８４上または側壁３８５〜３８６に沿って積層する。ここで、紙葉類処理装置２００に真券または正券と判定された正常な紙幣は、収納部１８１〜１８４のいずれかに搬送されるが、真偽判定または正損判定の結果偽券または損券と判定された紙幣は、識別部１５０にて識別した結果異常が検出された紙幣（識別リジェクト券）として、リジェクト収納部１８５（ＲＪ１）に搬送される。
【００２０】
また、２枚重なって搬送され正常な識別ができなかった、あるいは紙幣間距離が通常よりも詰まった状態で繰出される等の異常により振分ゲートの動作ができなかった場合は、搬送の異常により正常に識別ができなかった紙幣（搬送リジェクト券）として、リジェクト収納部１８６（ＲＪ２）に搬送される。搬送リジェクトが発生した場合は、収納部１８６（ＲＪ２）の紙幣を取込部２１０にセットし再度搬送することで、正常に真偽判定または正損判定を行うことができる。紙葉類処理装置２００は、取込部２１０にセットされた紙幣が無くなるまで、以上の処理を繰り返す。
【００２１】
最終的に、紙葉類処理装置２００は、取込部２１０にセットされた全紙幣を所定の収納部へ搬送し、紙幣一枚ごとに画像情報と識別結果とが紐づいて記憶部１６０に格納された状態で搬送を終了する。搬送終了後、紙葉類処理装置２００は取得した識別結果を表示操作部１３０に表示する。
【００２２】
図３は、紙葉類処理装置２００にて４００枚の紙幣を搬送後に表示操作部１３０に表示された識別結果累計画面５００である。図３を用いて、識別結果累計画面５００の画面構成について説明する。
【００２３】
識別結果累計画面５００は、紙葉類処理装置の側面概略図５０１と、紙葉類処理装置２００の駆動を開始するＳｔａｒｔボタン５０２と、紙葉類処理装置２００の駆動を停止するＳｔｏｐボタン５０３と、収納部１８１〜１８６にそれぞれ収納された紙幣枚数を示す収納枚数表示５１１〜５１６と、収納部１８１〜１８４（Ｐ１〜Ｐ４）に収納された紙幣の合計枚数を示す合計枚数表示５０４と、収納部１８１〜１８４（Ｐ１〜Ｐ４）に収納された紙幣の合計金額を示す合計金額表示５０５と、前記合計枚数表示５０４と合計金額表示５０５とを０にリセットするためのＲｅｓｅｔボタン５０６とで構成される。
【００２４】
一例として、搬送された４００枚の紙幣の内、３５２枚の紙幣が正常な紙幣として収納部１８１〜１８４（Ｐ１〜Ｐ４）に、４８枚の紙幣が識別リジェクト券としてリジェクト収納部１８５（ＲＪ１）に搬送されたことを示す。
【００２５】
収納部１８１〜１８６に収納可能な枚数はオペレータが設定できる。収納部１８１〜１８６の収納可能枚数を各１００枚に設定しており、搬送が始まると収納部１８１（Ｐ１）から順に収納されていき、収納部１８１（Ｐ１）に１００枚収納後、搬送先が収納部１８２（Ｐ２）に切り替わり、収納部１８２（Ｐ２）に１００枚収納後、搬送先が収納部１８３（Ｐ３）に切り替わる。このようにして、搬送先が順次切り替わっていく。
【００２６】
紙葉類処理装置２００は、収納部１８１〜１８４（Ｐ１〜Ｐ４）が全て収納可能枚数に達する、もしくはリジェクト収納部１８５（ＲＪ１）、１８６（ＲＪ２）のどちらかが収納可能枚数に達すると繰出しを止め、収納部１８１〜１８４（Ｐ１〜Ｐ４）から紙幣を抜き取るまで紙幣を取り込まなくなる。逆に、収納部１８１〜１８４（Ｐ１〜Ｐ４）のいずれかが収納可能枚数に達すると紙幣を抜き取り、収納部１８１〜１８４（Ｐ１〜Ｐ４）のいずれかに収納余地のある状態を保つことで、繰出しを止めずに連続して搬送を行うことができる。これにより、一度に大量の紙幣を処理することが可能である。
【００２７】
Ｒｅｓｅｔボタン５０６は、収納部１８１〜１８６が空の状態且つ取込部２１０に紙幣がない状態で選択可能となる。Ｒｅｓｅｔボタン５０６を選択すると、合計枚数表示５０４と合計金額表示５０５とがリセットされる。搬送後、リセットボタン５０６を選択せずに取込部２１０に紙幣をセットし、Ｓｔａｒｔボタン５０２を選択すると、合計枚数表示５０４と合計金額表示５０５に加算して搬送を行うことができる。また、搬送中にＳｔｏｐボタン５０３を選択すると繰出しを止め、搬送を中断することができる。この後、再度Ｓｔａｒｔボタン５０２を選択すると搬送を再開する。
【００２８】
収納部１８１〜１８６（Ｐ１〜Ｐ４、ＲＪ１〜２）の各収納部に搬送された紙幣１枚ごとの紙幣画像および識別結果を確認したい場合、収納枚数表示５１１〜５１６のいずれかを選択することで、収納枚数表示５１１〜５１６のいずれかに対応した収納部１８１〜１８６に搬送された紙幣１枚ごとの紙幣画像と識別結果とを確認可能な紙幣一覧表示画面５２０に切り替わる。識別結果累計画面５００にて収納枚数表示５１５を選択し、収納部１８５（ＲＪ１）に収納された紙幣を一覧表示した紙幣一覧表示画面５２０（図４）を例として説明する。
【００２９】
紙幣一覧表示画面５２０は、紙幣画像５３１、収納部１８５（ＲＪ１）に収納された順番を示す収納番号５３２、通貨種別（国）５３３、金種５３４、新旧（版数）５３５、リジェクト要因５３６、記番号５３７が、収納された紙幣１枚ごとに紐付いた状態で表示操作部１３０に表示される。紙幣一覧表示画面５２０は、選択中の収納部が強調表示される紙葉類処理装置概略図５２１と、識別部１５０で取得した紙幣画像５３２の画像種別を変更するための画像種別選択ボタン５２２〜５２６と、紙幣一覧表示画面５２０に表示された紙幣画像５３１と識別結果５３２〜５３７をオペレータが確認しやすい表示設定に変更するための設定ボタン５２７と、前画面に戻るための戻るボタン５２８とで構成される。紙幣一覧表示画面５２０を下にスクロールする（表示操作部１３０に指で触れた状態で指を上に動かす）と、枠外にある１０枚目以降の紙幣画像５３１と識別結果５３２〜５３７とを確認することができる。
【００３０】
図４にて図示するリジェクト要因は、ＵＶは紫外特徴異常、ＩＲは赤外特徴異常、Ｔｈｒｅａｄはセキュリティスレッド（偽造防止線）異常、Ｈｏｌｏｇｒａｍはホログラム異常、Ｗａｔｅｒｍａｒｋは透かし異常、Ｍａｇは磁気異常をそれぞれ意味する。
【００３１】
紙葉類処理装置概略図５２１上で、収納部１８５（ＲＪ１）以外のいずれかの収納部を選択すると、選択した収納部内に収納された紙幣画像５２９と識別結果５３２〜５３７とを一覧表示する画面へ切り替わる。戻るボタン５２８を選択すると、識別結果累計画面５００（図３）に戻る。
【００３２】
設定ボタン５２７を選択すると、画面に一覧表示する枚数を設定できる。例えば、図４に示す紙幣一覧表示画面５２０は一画面に９枚分の紙幣画像５３１と識別結果５３２〜５３７とが表示された状態を示す。しかし、一画面に１０枚分以上の紙幣画像５３１と識別結果５３２〜５３７とを表示させたり、もしくは８枚分以下の紙幣画像５３１と識別結果５３２〜５３７とを表示させたり、オペレータが確認しやすい表示枚数を設定できる。
【００３３】
また、紙幣一覧表示画面５２０（図４）では、識別部１５０で取得した可視画像、透過画像、ＩＲ画像、ＵＶ画像、磁気分布画像の中から任意の画像種別を選択して表示させることができる。
【００３４】
図４は、可視画像ボタン５２２が選択され、画像種別として可視画像が表示されている紙幣一覧表示画面５２０である。可視画像では、可視光を紙幣に照射し照射側から撮像した紙幣画像を表示操作部１３０に表示することで、紙幣の破れやめくれ等の異常を表示操作部１３０の画面上で確認できる。
【００３５】
図４の示す例では、スレッドのめくれ５２９、スレッドの一部欠損５３８、ホログラム異常５３９が、紙幣一覧表示画面５２０により目視確認可能である。このため、収納番号３、４、５の紙幣は、オペレータによる現物確認の必要なく異常を特定できる。
【００３６】
図５は、設定ボタン５２７にて表示設定５５１を開き、表示枚数：４枚、表示枚数：９枚、表示枚数：１６枚、詳細表示、の中から表示枚数：１６枚を選択した場合の紙幣一覧表示（表示枚数：１６枚）画面５５０である。表示設定５５１の枠外を選択すると、表示設定５５１が閉じる。一画面に表示する紙幣枚数は、オペレータの手入力により設定できるようにしても良い。
【００３７】
図６は、表示設定５５１内で詳細表示を選択中の紙幣一覧表示（表示設定：詳細表示）画面５６０である。である。紙幣一覧表示（表示設定：詳細表示）画面５６０では、紙幣画像５３１は表示されず、識別結果５３２〜５３７が列挙された状態で表示されるので、識別結果全体を把握しやすい。項目はそれぞれ、Ｎｏ．：収納番号５３２、Ｃｏｕｎｔｒｙ：通貨種別（国）５３３、Ｄｅｎｏｍ．：金種５３４、Ｓｅｒｉｅｓ：新旧（版数）５３５、ＲＪ−Ｆａｃｔｏｒ：リジェクト要因５３６、Ｓｅｒｎｏ：記番号５３７を表す。ここで、リジェクト要因として図示される「ｍｉｓｃ」は、「その他」（ｍｉｓｃｅｌｌａｎｅｏｕｓ）を意味する。
【００３８】
図７は、紙幣一覧表示画面５２０にてＩＲ画像ボタン５２３が選択され、画像種別：ＩＲ画像が表示されている紙幣一覧表示画面（ＩＲ画像）５８０である。画像種別：ＩＲ画像では、赤外光を紙幣に照射し撮像した紙幣画像（ＩＲ画像）を表示操作部１３０に表示することで、赤外インクで描かれた模様の有無や赤外インクによる落書き等を表示操作部１３０の画面上で確認できる。収納番号２の紙幣は、通常あるはずの赤外インクで描かれた「１００」の文字がなく、ＩＲ異常５８１が紙幣一覧表示画面（ＩＲ画像）５８０により目視確認可能である。このため、収納番号２の紙幣は、オペレータによる現物確認の必要なく異常を特定できる。
【００３９】
図８は、紙幣一覧表示画面５２０にてＵＶ画像ボタン５２４が選択され、画像種別：ＵＶ画像が表示されている紙幣一覧表示画面（ＵＶ画像）５９０である。画像種別：ＵＶ画像では、紫外光を紙幣に照射し撮像した紙幣画像（ＵＶ画像）を表示操作部１３０に表示することで、ＵＶインクで描かれた模様の有無やＵＶインクによる落書き等を表示操作部１３０の画面上で確認できる。ＵＶ異常５９１およびＵＶ異常５９２が紙幣一覧表示画面（ＵＶ画像）５９０により目視確認可能である。このため、収納番号１、８の紙幣は、オペレータによる現物確認の必要なく異常を特定できる。
【００４０】
図９は、紙幣一覧表示画面５２０にて透過画像ボタン５２５が選択され、画像種別：透過画像が表示されている紙幣一覧表示画面（透過画像）６００である。画像種別：透過画像では、可視光を照射側と反対側に透過させた紙幣画像を表示操作部１３０に表示することで、透かし６０１（印刷の凹凸で濃淡を表現し模様を描く）の異常を表示操作部１３０の画面上で確認できる。透かし異常６１１と透かし異常６１２が、紙幣一覧表示画面（透過画像）６００により目視確認可能である。このため、収納番号６、７の紙幣は、オペレータによる現物確認の必要なく異常を特定できる。
【００４１】
図１０は、紙幣一覧表示画面５２０にて磁気画像ボタン５２６が選択され、画像種別：磁気画像が表示されている紙幣一覧表示画面（磁気画像）６２０である。画像種別：磁気画像では、識別部１５０にて読み取った紙幣の磁気分布を表示操作部１３０に表示することで、磁性インクで描かれた模様の有無や磁性インクによる落書き等を表示操作部１３０の画面上で確認できる。磁気異常６２１が紙幣一覧表示画面（磁気画像）６２０により目視確認可能である。このため、収納番号９の紙幣は、オペレータによる現物確認の必要なく異常を特定できる。
【００４２】
図１１は、設定ボタン５２７から金種設定６３１を開いて金種６３２を選択し、収納部１８５（ＲＪ１）に収納された紙幣の内、識別結果が金種６３２に該当する紙幣に限定して紙幣画像と識別結果とを表示操作部１３０に表示した画面である。このように、設定ボタン５２７は、前述した表示枚数設定機能以外に、金種による絞込み表示機能を持つ。実施例１では金種６３２のみ選択されているが、複数金種を選択すれば、複数金種の紙幣画像と識別結果とを表示操作部１３０に表示できる。金種設定６３１の枠外を選択すると、金種設定６３１を閉じる。
【００４３】
図１２は、設定ボタン５２７からリジェクト要因設定６４１を開きリジェクト要因６４２を選択し、収納部１８５（ＲＪ１）に収納された紙幣の内、リジェクト要因６４１に該当する紙幣に限定して紙幣画像と識別結果とを表示操作部１３０に表示した画面である。このように、設定ボタン５２７は、前述した表示枚数設定機能および金種による絞込み表示機能以外に、リジェクト要因による絞込み表示機能を持つ。実施例１では、一つのリジェクト要因のみの表示であるが、複数のリジェクト要因を選択すれば、複数のリジェクト要因に該当する紙幣の紙幣画像と識別結果とを表示操作部１３０に表示させることができる。リジェクト要因設定６４１の枠外を選択すると、リジェクト要因設定６４１を閉じる。
【００４４】
以上のように、紙幣の画像種別選択、表示枚数設定機能、金種による絞込み表示機能、リジェクト要因による絞込み表示機能を組み合わせることにより、紙幣一枚一枚の画像を確認することなく、効率良く異常個所を特定できる。
【００４５】
また、紙幣一覧表示画面５２０にて、表示された紙幣画像のいずれか一つを選択すると、紙幣一覧表示画面５２０に表示された紙幣画像よりもサイズの大きい紙幣画像を表示できる紙幣詳細表示画面に切り替わる。
【００４６】
図１３は、紙幣一覧表示画面５２０（図４）にて紙幣画像５３１を選択した紙幣詳細表示画面６５０である。
紙幣詳細表示画面６５０は、紙幣画像６５１、収納された順番を示す収納番号６５２、通貨種別（国）６５３、金種６５４、新旧（版数）６５５、リジェクト要因６５６、記番号６５７、記番号画像６５８、サンプル紙幣６５９で構成さる。さらに、紙幣詳細表示画面６５０は、選択中の収納部１８５（ＲＪ１）が強調表示される紙葉類処理装置概略図５２１と、識別部１５０で取得した紙幣画像５３２の画像種別を変更するための画像種別選択ボタン５２２〜５２６と、紙幣詳細表示画面６５０の表示をオペレータが確認しやすい表示設定に変更するための設定ボタン６６０と、前画面に戻るための戻るボタン６６８とを有する。
【００４７】
紙幣詳細表示画面６５０は、紙幣一覧表示画面５２０にて表示していたよりもサイズの大きな紙幣画像を表示することにより紙幣一覧表示画面５２０では確認できなかった細かい部位の異常を確認できる。また、ＲＧＢバー６６１は、左右にスライド（指で画面に触れた状態で指を左右に動かす）することで紙幣画像６５１の色調を調節でき、Ｂｒｉｇｈｔｎｅｓｓバー６６２は、左右にスライドすることで紙幣画像６５１の輝度を調節できる。これにより、オペレータが確認しやすい色調および輝度で紙幣画像６５１を確認することができる。
【００４８】
また、一覧表示画面５２０と同様に、画像種別選択ボタン５２２〜５２６のいずれかを選択することで、識別部１５０にて取得した可視画像、ＩＲ画像、ＵＶ画像、透過画像、磁気分布画像の中から任意の画像種別を選択して表示することができる。
【００４９】
図１４は、紙幣詳細表示画面５２０にてＵＶ画像ボタン５２４が選択され、画像種別：ＵＶ画像が表示されている紙幣詳細表示画面（ＵＶ画像）６７０である。サンプル画像６５９は、可視画像とＵＶ画像との混合表示にて表示される。カーソル６７１を左端にスライドすると可視画像のみ、カーソル６７１を右端にスライドするとＵＶ画像のみを表示できる。また、端以外の任意の位置にカーソル６７１を合わせると、カーソル６７１の位置に応じた割合で可視画像とＵＶ画像とを混合した画像を表示できる。
【００５０】
例えば、カーソル６７１を中央に合わせると、可視画像とＵＶ画像とを１：１の割合で混合した画像を表示する。右端から距離３、左端から距離７の位置にカーソルを合わせると、可視画像とＵＶ画像とを３：７の割合で混合した画像を表示する。これにより、ＵＶインクの位置をオペレータが確認することができる。
【００５１】
紙幣詳細表示画面６５０（図１３）内の設定ボタン６６０は、紙幣画像６５１をさらに大きなサイズで表示したり、紙幣画像６５１を拡大／縮小できるモードへの移行、また、記番号画像６５８と、識別部１５０にて画像認識し文字変換した記番号６５７とが不一致であった場合に、記番号６５７の編集／登録ができる。また、ブラックリスト登録ボタン６６５を選択すると、識別結果６５３〜６５７の情報を記憶部１６０に格納し、次回以降の搬送にてブラックリスト紙幣として他の紙幣と仕分けるように設定できる。
【００５２】
また、紙幣詳細表示画面６５０（図１３）にて紙幣画像６５１を選択すると、紙幣画像６５１の表示を表裏切り替えることができる。図１５は、紙幣詳細表示画面６５０にて紙幣画像６５１を選択し、紙幣裏面が表示された紙幣詳細表示画面（裏面）６９０である。このとき、サンプル画像６５９も同時に裏面表示に切り替わる。サンプル画像６５９を選択した場合に、表裏切り替わるようにしても良い。
【００５３】
保存ボタン６９１を押すと、紙幣画像６５１の表裏２枚の画像と、識別結果６５３〜６５７と、ブラックリスト登録有無を紐付け、ＰＣ等の外部機器で参照可能な形式でＲＯＭ１１０に保存できる。
【実施例２】
【００５４】
次に、実施例２として、リジェクトされた大量の紙幣の中から特定の１枚をより容易に見つけるための別の方法について説明する。
専用搬送モード８００（図４）は、収納部１８５（ＲＪ１）に搬送された疑券をリジェクト要因別に仕分けることで、オペレータが多数枚のリジェクト券の中から紙幣を探す作業なく現物確認したい紙幣を見つける、もしくは見つけやすい枚数まで絞り込める機能である。以降は、専用搬送モード以外のモードを通常搬送モードと呼ぶ。
【００５５】
以下、専用搬送モードの動作について説明する。収納部１８５（ＲＪ１）の紙幣一覧表示画面５２０（図４）内にて専用搬送モードボタン８００を選択すると、図１６に示すように、収納部から紙幣を抜き取ってくださいのガイダンスが流れる。ここで、戻るボタン８２１を押すと、収納部１８５（ＲＪ１）の紙幣一覧表示画面５２０（図４）に戻る。ＯＫボタン８２２を押すと、専用搬送モード・収納部設定画面８４０（図１７）に切り替わる。
【００５６】
収納部設定画面８４０では、通常搬送モード時に収納部ＲＪ１に収納された紙幣を、リジェクト要因を含む種別ごとに仕分けるための種別設定８４２、および種別設定した紙幣の収納上限枚数を収納部ごとに決定するための収納枚数８４３の設定を行う。
【００５７】
収納部設定画面８４０は、収納部番号８４１、種別設定８４２、収納枚数８４３、そして通常搬送モード時に収納部ＲＪ１にて発生した、リジェクト要因を含む種別ごとの合計枚数を表す合計枚数８４４が表示される。
【００５８】
実施例２では、収納枚数８４３は設定値：１であり、これは、収納部Ｐ１に設定した種別設定８４２（本実施例の場合リジェクト要因：ＵＶ）の紙幣を２枚以上収納しない設定である。これにより、Ｐ１に収納された紙幣現物と、画面表示された識別結果とを一対一で照合することが可能となる。
【００５９】
収納枚数８４３は、収納枚数８４３を選択し数値を手入力することで設定値を変更できる。あるいは、枚数一括設定ボタン８５１〜８５５を設け、収納部１８１〜１８５の収納枚数８４３を一括設定／変更できるようにしても良い。枚数一括設定ボタン８５１〜８５５にて選択した枚数が、合計枚数８４４を超える場合は、合計枚数８４４と同じ値を収納枚数８４３に設定するようにしても良い。また、種別設定８４２は、通常搬送モード時の画面から収納部設定画面８４０に切り替わる際に、通常搬送モード時に収納部１８５（ＲＪ１）にて発生していたリジェクト要因等の種別を参照し収納部１８１〜１８５（Ｐ１〜Ｐ４、ＲＪ１）に自動で初期設定される。
【００６０】
種別設定８４２を選択すると、収納部Ｐ１に収納する種別を変更できる。実施例２では、収納部ＲＪ１の種別設定８４５にはＢＬ（ブラックリスト）が設定されており、通常搬送モード時に図１４の紙幣詳細表示画面６７０にて収納番号１の紙幣をブラックリスト登録したため、収納部ＲＪ１の種別設定８４５に設定されたものとする。ブラックリスト登録すると、専用搬送モード時に他の種別よりも優先して種別設定される。このため、通常搬送モード時に画面表示された紙幣の中でオペレータが現物確認したいと思った紙幣を優先して振り分け、見つけ出すことができる。
【００６１】
また、収納部ＲＪ２の種別設定８４６はＡｎｙとなっており、収納部数には上限がある（６個）関係上、どの収納部にも種別設定できなかった紙幣の搬送先として、または専用搬送モードにて搬送中に発生した搬送リジェクト券の搬送先として、あるいは専用搬送モードに関係のない紙幣が外部から紛れ込み搬送された場合の搬送先として使用される。
【００６２】
上記の種別の初期設定は、収納部設定画面８４０に切り替わった際、全て空白にしておきオペレータの完全手入力としても良い。専用搬送モードの種別設定８４２および枚数設定８４３の入力を完了し、設定完了ボタン８５８を押すと専用搬送モード・搬送結果画面８６０（図１８）に切り替わる。
【００６３】
専用搬送モード・搬送結果画面８６０（図１８）は、収納部１８１〜１８６にある紙幣をリアルタイムで表示する紙幣枚数８６１〜８６６、専用搬送モードにて収納した紙幣の枚数を、途中で紙幣を抜き取った場合も０にリセットせず加算して表示する累積枚数８７１〜８７６、通常搬送モード時に収納部１８５（ＲＪ１）で発生していたリジェクト要因を含む種別ごとの合計枚数８８１〜８８５で構成される。取込部２１０（図２）に紙幣をセットし、Ｓｔａｒｔボタン８９２を選択すると紙幣搬送を開始する。また、搬送中にＳｔｏｐボタン８９３を選択すると繰出しを止め、取込部２１０に紙幣が残った状態であっても、搬送を一時中断することができる。
【００６４】
紙幣枚数８６１〜８６６は、紙幣が１枚収納されるごとに１ずつ加算され、収納部から紙幣を抜き取った場合は０にリセットされる。累積枚数８７１〜８７６は、紙幣を抜き取った場合でも０にリセットされない。累積枚数８７１〜８７６の表示によりオペレータは、収納部１８１〜１８５に設定した種別の紙幣が、専用搬送前の紙幣の中に何枚残っているかを知ることができる。
【００６５】
図１９に示す画面９００は、通常搬送モードにて収納部ＲＪ１に収納された４８枚の紙幣について専用搬送を開始し、収納部Ｐ１〜Ｐ４およびＲＪ１に設定した種別の紙幣が、収納部設定画面８７０（図１７）にて設定した収納枚数８４３が１枚に達したため、取込部２１０に２８枚の紙幣を残し紙葉類処理装置２００が繰出しを止めたことを示す画面である。紙幣画像および識別結果を確認したい場合、累計枚数表示９０１〜９０６のいずれかを選択することで、専用搬送モード・紙幣一覧表示画面９２０に切り替わる。
【００６６】
図２０は、専用搬送モード・搬送結果画面９００にてＰ１を選択し、収納部１８５（Ｐ１）の専用搬送モード・紙幣一覧表示画面９２０に切り替わった図である。
【００６７】
専用搬送モード・紙幣一覧表示画面９２０の画面構成は、通常搬送モード時の紙幣一覧表示画面５２０（図４）同様、紙幣画像９３１、収納番号９３２、通貨種別９３３、金種９３４、新旧（版数）９３５、リジェクト要因９３６、記番号９３７が、収納された紙幣１枚ごとに紐付いた状態で表示さる。さらに、現在表示している収納部の位置が紙葉類処理装置概略図９２１上で強調表示され、画面スクロール機能、設定ボタン９２７による表示枚数設定機能、画像種別選択ボタン９２２〜９２６による画像種別設定機能を有する。上述した機能は実施例１にて説明済みのため、ここでは説明を省略する。戻るボタン９２８を選択すると、専用搬送モード・搬送結果画面９００に戻る。
【００６８】
図２１は、専用搬送モード・紙幣一覧表示画面９２０にて紙幣画像９３１を選択し、専用搬送モード・紙幣一覧表示画面９４０に切り替わった図である。
【００６９】
専用搬送モード・紙幣一覧表示画面９４０の画面構成は通常搬送モード時の紙幣一覧表示画面５２０（図４）同様、紙幣画像９４１、収納番号９４２、通貨種別９４３、金種９４４、新旧（版数）９４５、リジェクト要因９４６、記番号９４７、記番号画像９４８、サンプル紙幣９４９にて構成される。また、記番号編集機能、コントラスト調整機能、保存ボタン９５１選択によるＲＯＭ１１０への保存、可視画像とＵＶ画像との混合表示機能を有する。上述した機能は実施例１にて説明済みのため、ここでは説明を省略する。戻るボタン９５８を選択すると、紙幣一覧表示画面に戻る。上記により、収納部１８１〜１８５（Ｐ１〜Ｐ４およびＲＪ１）に収納された１枚の紙幣と、画面表示された紙幣の紙幣画像と識別結果とが、一対一で紐付いたこととなる。
【００７０】
図２２は、図２０の状態から収納部１８４（Ｐ４）の紙幣を抜き取り、収納枚数８６４が１から０に変わった状態である。累積枚数８４３が合計枚数８４４に達した収納部の紙幣を抜き取ると、ＯＫボタン９６１が表示される。
【００７１】
図２３は、図２２の状態からＯＫボタン９６１を選択した図である。ＯＫボタン９６１を押すと、専用搬送モードにて未設定の種別設定９８１が新たに設定される。
【００７２】
今回の場合は、Ｈｏｌｏｇｒａｍが未設定であったため、収納部１８５（Ｐ４）にＨｏｌｏｇｒａｍが新たに設定された状態である。収納部１８５（Ｐ４）に、収納の余地ができたため、この状態でＳｔａｒｔボタン８９２を押すと搬送が再開される。収納部１８５（Ｐ４）以外の収納部にも上記を適用し繰り返すことで、通常搬送モードにて発生した全てのリジェクト要因を含む種別の紙幣に対し、画面表示された紙幣画像および識別結果と、現物紙幣とを一対一で紐付けることが可能となる。
【００７３】
上記実施例によれば、紙葉類処理装置の収納部に収納された紙幣の紙幣画像と識別結果とが表示部に一覧表示される。これにより、大まかな紙幣画像と識別結果とを一目で確認することができる。この結果、紙幣画像一枚一枚を確認することなく次の作業に移れるため効率的である。
【００７４】
また、一覧表示された紙幣画像の中からいずれか一枚の紙幣画像を表示部の画面上で選択することにより、一覧表示された紙幣画像よりもサイズの大きな紙幣画像が確認できる。このため、従来通り画面上で紙幣の詳細な確認を行うことができる。
【００７５】
また、多数のリジェクト券の中から、画面表示された記番号と一致する紙幣を見つけ出す作業が不要となる。このため、現金精査にかかる時間を短縮でき、オペレータの負荷を低減できる。
【００７６】
また、紙幣一枚ごとに画面を切り替えることなくリジェクト券の情報を効率的に確認できる。また、リジェクト券として紙幣画像と識別結果とが画面表示された紙幣の現物を、リジェクト収納部に収納された多数のリジェクト券の中から探すことなく容易に見つけることができる。
【００７７】
また、紙幣画像の表示パラメータを変更可能であることにより、オペレータによる特殊光ランプの照射や、手触りによる確認の作業なく、異常個所の特定を全て画面上で行える。このため、熟練のオペレータでなくても異常個所を特定しやすく、作業負荷を低減できる。
【００７８】
さらに、偽券の疑いのある紙幣としてリジェクト収納部に収納した紙幣（疑券）のリジェクト要因を、収納部ごとの収納種別として新たに設定し、疑券のみを再搬送し、各収納部に１枚ずつ収納可能な機能を有する。この機能により、所定の収納部に収納された１枚の紙幣現物と、画面表示された１枚の紙幣画像および識別結果とを一対一で紐付けることができる。
【符号の説明】
【００７９】
１００  主制御部
１３０  表示操作部
１５０  識別部
１６０  記憶部
１７０  振分ゲート
１８０  収納部
２００  紙葉類処理装置
２１０  取込部
【図１】
2020047217.tif 000003
【図２】
2020047217.tif 000004
【図３】
2020047217.tif 000005
【図４】
2020047217.tif 000006
【図５】
2020047217.tif 000007
【図６】
2020047217.tif 000008
【図７】
2020047217.tif 000009
【図８】
2020047217.tif 000010
【図９】
2020047217.tif 000011
【図１０】
2020047217.tif 000012
【図１１】
2020047217.tif 000013
【図１２】
2020047217.tif 000014
【図１３】
2020047217.tif 000015
【図１４】
2020047217.tif 000016
【図１５】
2020047217.tif 000017
【図１６】
2020047217.tif 000018
【図１７】
2020047217.tif 000019
【図１８】
2020047217.tif 000020
【図１９】
2020047217.tif 000021
【図２０】
2020047217.tif 000022
【図２１】
2020047217.tif 000023
【図２２】
2020047217.tif 000024
【図２３】
2020047217.tif 000025